(57)【要約】【課題】無線通信システムにおけるアップリンク制御チャネルのためのリソース割当方法及び装置を提供する。【解決手段】前記リソース割当方法は、アップリンク制御チャネルのための第１のリソースと、動的レンジングチャネル（ｄｙｎａｍｉｃ  ｒａｎｇｉｎｇ  ｃｈａｎｎｅｌ）のための第２のリソースと、を割り当てることを含む。前記第２のリソースは、前記第１のリソースの直後に位置することができる。レガシサポートモード（ｌｅｇａｃｙ  ｓｕｐｐｏｒｔ  ｍｏｄｅ）でシグナリングオーバーヘッド（ｓｉｇｎａｌｉｎｇ  ｏｖｅｒｈｅａｄ）なしにレガシ端末のための動的レンジングチャネルを割り当てることができる。【選択図】図８
2014197910.tif 000002
【特許請求の範囲】
【請求項１】
無線通信システムにおいて動的レンジングチャネルのための無線リソースをユーザ機器により受信する方法であって、
前記方法は、
フレームにおいてフィードバックチャネルのための第１のセットのＤＬＲＵ（Ｄｉｓｔｒｉｂｕｔｅｄ  Ｌｏｇｉｃａｌ  Ｒｅｓｏｕｒｃｅ  Ｕｎｉｔ）を受信することと、
前記フレームにおいて帯域幅要求チャネルのための第２のセットのＤＬＲＵを受信することであって、前記第２のセットのＤＬＲＵのインデックスは、周波数領域において前記第１のセットのＤＬＲＵのインデックスよりも大きい、ことと、
前記フレームにおいて動的レンジングチャネルのための第３のセットのＤＬＲＵを受信することであって、前記第３のセットのＤＬＲＵのインデックスは、周波数領域において前記第２のセットのＤＬＲＵのインデックスよりも大きく、前記第３のセットのＤＬＲＵは、前記第２のセットのＤＬＲＵの直後に位置する、ことと
を含み、
前記フレームは、ＦＤＭ（Ｆｒｅｑｕｅｎｃｙ  Ｄｉｖｉｓｉｏｎ  Ｍｕｌｔｉｐｌｅｘｉｎｇ）方式によりアップリンクにおいてレガシシステムおよびＡｄｖａｎｃｅｄシステムの両方をサポートする、方法。
【請求項２】
前記フレームにおいて一般レンジングチャネルのための第４のセットのＤＬＲＵを受信することをさらに含む、請求項１に記載の方法。
【請求項３】
前記第１のセットのＤＬＲＵのインデックスは、周波数領域において前記第４のセットのＤＬＲＵのインデックスよりも大きい、請求項２に記載の方法。
【請求項４】
前記フィードバックチャネルは、ＨＡＲＱ（Ｈｙｂｒｉｄ  Ａｕｔｏｍａｔｉｃ  Ｒｅｐｅａｔ  ｒｅｑｕｅｓｔ）フィードバックチャネル（ＨＦＢＣＨ）およびファーストフィードバックチャネル（ＦＦＢＣＨ）を含む、請求項１に記載の方法。
【請求項５】
前記ＦＦＢＣＨのためのリソースのインデックスは、周波数領域において前記ＨＦＢＣＨのためのリソースのインデックスよりも大きい、請求項４に記載の方法。
【請求項６】
前記フレームにおいてデータチャネルのための第５のセットのＤＬＲＵを受信することをさらに含み、
前記第５のセットのＤＬＲＵは、前記第３のセットのＤＬＲＵの直後に位置する、請求項１に記載の方法。
【請求項７】
前記レガシシステムは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅシステムであり、
前記Ａｄｖａｎｃｅｄシステムは、ＩＥＥＥ８０２．１６ｍシステムである、請求項１に記載の方法。
【請求項８】
無線通信システムにおけるユーザ機器（ＵＥ）であって、
前記ＵＥは、
無線信号を送信または受信するように構成されるＲＦ（Ｒａｄｉｏ  Ｆｒｅｑｕｅｎｃｙ）部と、
前記ＲＦ部と連結されるプロセッサと
を含み、
前記プロセッサは、
フレームにおいてフィードバックチャネルのための第１のセットのＤＬＲＵ（Ｄｉｓｔｒｉｂｕｔｅｄ  Ｌｏｇｉｃａｌ  Ｒｅｓｏｕｒｃｅ  Ｕｎｉｔ）を受信することと、
前記フレームにおいて帯域幅要求チャネルのための第２のセットのＤＬＲＵを受信することであって、前記第２のセットのＤＬＲＵのインデックスは、周波数領域において前記第１のセットのＤＬＲＵのインデックスよりも大きい、ことと、
前記フレームにおいて動的レンジングチャネルのための第３のセットのＤＬＲＵを受信することであって、前記第３のセットのＤＬＲＵのインデックスは、周波数領域において前記第２のセットのＤＬＲＵのインデックスよりも大きく、前記第３のセットのＤＬＲＵは、前記第２のセットのＤＬＲＵの直後に位置する、ことと
を実行するように構成され、
前記フレームは、ＦＤＭ（Ｆｒｅｑｕｅｎｃｙ  Ｄｉｖｉｓｉｏｎ  Ｍｕｌｔｉｐｌｅｘｉｎｇ）方式によりアップリンクにおいてレガシシステムおよびＡｄｖａｎｃｅｄシステムの両方をサポートする、ＵＥ。
【請求項９】
前記プロセッサは、さらに、前記フレームにおいて一般レンジングチャネルのための第４のセットのＤＬＲＵを受信するように構成される、請求項８に記載のＵＥ。
【請求項１０】
前記第１のセットのＤＬＲＵのインデックスは、周波数領域において前記第４のセットのＤＬＲＵのインデックスよりも大きい、請求項９に記載のＵＥ。
【請求項１１】
前記フィードバックチャネルは、ＨＡＲＱ（Ｈｙｂｒｉｄ  Ａｕｔｏｍａｔｉｃ  Ｒｅｐｅａｔ  ｒｅｑｕｅｓｔ）フィードバックチャネル（ＨＦＢＣＨ）およびファーストフィードバックチャネル（ＦＦＢＣＨ）を含む、請求項８に記載のＵＥ。
【請求項１２】
前記ＦＦＢＣＨのためのリソースのインデックスは、周波数領域において前記ＨＦＢＣＨのためのリソースのインデックスよりも大きい、請求項１１に記載のＵＥ。
【請求項１３】
前記プロセッサは、さらに、前記フレームにおいてデータチャネルのための第５のセットのＤＬＲＵを受信するように構成され、
前記第５のセットのＤＬＲＵは、前記第３のセットのＤＬＲＵの直後に位置する、請求項８に記載のＵＥ。
【請求項１４】
前記レガシシステムは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅシステムであり、
前記Ａｄｖａｎｃｅｄシステムは、ＩＥＥＥ８０２．１６ｍシステムである、請求項８に記載のＵＥ。
【発明の詳細な説明】
【技術分野】
【０００１】
本発明は、無線通信に関し、より詳しくは、無線通信システムにおけるアップリンク制御チャネルのためのリソース割当方法及び装置に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ規格は、２００７年ＩＴＵ（Ｉｎｔｅｒｎａｔｉｏｎａｌ  Ｔｅｌｅｃｏｍｍｕｎｉｃａｔｉｏｎ  Ｕｎｉｏｎ）傘下のＩＴＵ−Ｒ（ＩＴＵ−Ｒａｄｉｏ  ｃｏｍｍｕｎｉｃａｔｉｏｎ  Ｓｅｃｔｏｒ）でＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００のための６番目の規格であり、‘ＷＭＡＮ−ＯＦＤＭＡ  ＴＤＤ’という名称で採択されたことがある。ＩＴＵ−Ｒは、ＩＭＴ−２０００以後の次世代４Ｇ移動通信規格としてＩＭＴ−Ａｄｖａｎｃｅｄシステムを準備している。ＩＥＥＥ８０２．１６ＷＧ（Ｗｏｒｋｉｎｇ  Ｇｒｏｕｐ）は、２００６年末ＩＭＴ−Ａｄｖａｎｃｅｄシステムのための規格であり、既存ＩＥＥＥ８０２．１６ｅの修正（ａｍｅｎｄｍｅｎｔ）規格を作成することを目標にＩＥＥＥ８０２．１６ｍプロジェクトの推進を決定した。前記目標から分かるように、ＩＥＥＥ８０２．１６ｍ規格は、ＩＥＥＥ８０２．１６ｅ規格の修正という過去の連続性と次世代ＩＭＴ−Ａｄｖａｎｃｅｄシステムのための規格という未来の連続性である二つの側面を内包している。従って、ＩＥＥＥ８０２．１６ｍ規格は、ＩＥＥＥ８０２．１６ｅ規格に基づいたＭｏｂｉｌｅ  ＷｉＭＡＸシステムとの互換性（ｃｏｍｐａｔｉｂｉｌｉｔｙ）を維持しながら、ＩＭＴ−Ａｄｖａｎｃｅｄシステムのための進歩した要求事項を全部満たすことを要求している。
【０００３】
制御チャネルは、基地局と端末との間の通信のための多様な種類の制御信号の送信のために使われることができる。ＩＥＥＥ８０２．１６ｍシステムは、アップリンク制御チャネルとして、ファーストフィードバックチャネル（ＦＦＢＣＨ；Ｆａｓｔ  Ｆｅｅｄｂａｃｋ  Ｃｈａｎｎｅｌ）、ＨＡＲＱフィードバックチャネル（ＨＦＢＣＨ；ＨＡＲＱ  Ｆｅｅｄｂａｃｋ  Ｃｈａｎｎｅｌ）、サウンディングチャネル（ｓｏｕｎｄｉｎｇ  ｃｈａｎｎｅｌ）、レンジングチャネル（ｒａｎｇｉｎｇ  ｃｈａｎｎｅｌ）、及び帯域幅要求チャネル（ＢＲＣＨ；Ｂａｎｄｗｉｄｔｈ  Ｒｅｑｕｅｓｔ  Ｃｈａｎｎｅｌ）などを含むことができる。
【０００４】
アップリンク制御チャネルのうちレンジングチャネルは、アップリンク同期化のために使われることができる。レンジングチャネルは、非同期（ｎｏｎ−ｓｙｎｃｈｒｏｎｉｚｅｄ）レンジングチャネルと同期（ｓｙｎｃｈｒｏｎｉｚｅｄ）レンジングチャネルに区分されることができる。非同期レンジングチャネルは、初期接続（ｉｎｉｔｉａｌ  ａｃｃｅｓｓ）及びハンドオーバーのために使われることができる。端末は、非同期レンジングチャネルを用いてレンジング信号を送信するサブフレームで他のアップリンクバースト（ｕｐｌｉｎｋ  ｂｕｒｓｔ）又はアップリンク制御チャネルも送信しない。同期レンジングチャネルは、周期的レンジング（ｐｅｒｉｏｄｉｃ  ｒａｎｇｉｎｇ）のために使われることができる。
【０００５】
一方、ＩＥＥＥ８０２．１６ｍシステムは、後方互換性（ｂａｃｋｗａｒｄ  ｃｏｍｐａｔｉｂｉｌｉｔｙ）を有するため、ＩＥＥＥ８０２．１６ｍシステムをサポートする端末だけでなく、ＩＥＥＥ８０２．１６ｅシステムをサポートする端末もサポートすることができる。ＩＥＥＥ８０２．１６ｍシステムが８０２．１６ｅ端末をサポートする場合、これをレガシサポートモード（ｌｅｇａｃｙ  ｓｕｐｐｏｒｔ  ｍｏｄｅ）ということができる。
【０００６】
レガシサポートモードでレンジングチャネルのためのリソース割当割当方法が要求される。
【発明の概要】
【発明が解決しようとする課題】
【０００７】
本発明の技術的課題は、無線通信システムにおけるアップリンク制御チャネルのためのリソース割当方法及び装置を提供することである。特に、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ端末をサポートするレガシサポートモード（ｌｅｇａｃｙ  ｓｕｐｐｏｒｔ  ｍｏｄｅ）で動的レンジングチャネル（ｄｙｎａｍｉｃ  ｒａｎｇｉｎｇ  ｃｈａｎｎｅｌ）のためのリソース割当方法を提供する。
【課題を解決するための手段】
【０００８】
一態様において、無線通信システムにおけるアップリンク制御チャネルのためのリソース割当方法が提供される。前記リソース割当方法は、アップリンク制御チャネルのための第１のリソースと、動的レンジングチャネル（ｄｙｎａｍｉｃ  ｒａｎｇｉｎｇ  ｃｈａｎｎｅｌ）のための第２のリソースと、を割り当てることを含み、前記第２のリソースは、前記第１のリソースの直後に位置する。
【０００９】
前記第１のリソース及び前記第２のリソースは、各々、少なくとも一つのＤＬＲＵ（Ｄｉｓｔｒｉｂｕｔｅｄ  Ｌｏｇｉｃａｌ  Ｒｅｓｏｕｒｃｅ  Ｕｎｉｔ）を含み、前記第２のリソースは、周波数領域でＤＬＲＵインデックス上に前記第１のリソースの直後に位置する。
【００１０】
前記第１のリソースに含まれる少なくとも一つのＤＬＲＵのインデックスは、前記第２のリソースに含まれる少なくとも一つのＤＬＲＵのインデックスより小さい。
【００１１】
前記ＤＬＲＵは、周波数領域で分散された６個のタイルを含み、一つのタイルは、４個の連続した副搬送波を含む。
【００１２】
前記アップリンク制御チャネルは、レンジングチャネル（ｒａｎｇｉｎｇ  ｃｈａｎｎｅｌ）、フィードバックチャネル（ｆｅｅｄｂａｃｋ  ｃｈａｎｎｅｌ）、及び帯域幅要求チャネル（ｂａｎｄｗｉｄｔｈ  ｒｅｑｕｅｓｔ  ｃｈａｎｎｅｌ）のうち少なくとも一つを含む。
【００１３】
前記フィードバックチャネルは、ＨＡＲＱ（Ｈｙｂｒｉｄ  Ａｕｔｏｍａｔｉｃ  Ｒｅｐｅａｔ  ｒｅｑｕｅｓｔ）フィードバックのためにＡＣＫ（Ａｃｋｎｏｗｌｅｄｇｅｍｔｅｎｔ）／ＮＡＣＫ（Ｎｏｎ−ａｃｋｎｏｗｌｅｄｇｅｍｅｎｔ）信号を運ぶＨＡＲＱフィードバックチャネル（ＨＦＢＣＨ；ＨＡＲＱ  Ｆｅｅｄｂａｃｋ  Ｃｈａｎｎｅｌ）及びＣＱＩ（Ｃｈａｎｎｅｌ  Ｑｕａｌｉｔｙ  Ｉｎｆｏｒｍａｔｉｏｎ）などを運ぶファーストフィードバックチャネル（ＦＦＢＣＨ；Ｆａｓｔ  Ｆｅｅｄｂａｃｋ  Ｃｈａｎｎｅｌ）を含む。
【００１４】
前記リソース割当方法は、データが送信されるデータチャネルのための第３のリソースを割り当てることをさらに含み、前記第３のリソースは、前記第２のリソースの直後に位置する。
【００１５】
前記第１のリソース及び前記第２のリソースは、第１のシステムのためのリソースであり、前記第１のリソース及び前記第２のリソースは、前記第１のシステムと異なる第２のシステムのための第４のリソースとＦＤＭ（Ｆｒｅｑｕｅｎｃｙ  Ｄｉｖｉｓｉｏｎ  Ｍｕｌｔｉｐｌｅｘｉｎｇ）方式に多重化される。
【００１６】
他の態様において、無線通信システムにおける端末によるレンジング信号送信方法が提供される。前記レンジング信号送信方法は、割り当てられた動的レンジングチャネル上にレンジング信号を基地局に送信することを含み、前記動的レンジングチャネルのための第２のリソースは、アップリンク制御チャネルのための第１のリソースの直後に位置する。
【００１７】
前記第１のリソース及び前記第２のリソースは、各々、少なくとも一つのＤＬＲＵを含み、前記第２のリソースは、周波数領域でＤＬＲＵインデックス上に前記第１のリソースの直後に位置する。
【００１８】
前記第１のリソースに含まれる少なくとも一つのＤＬＲＵのインデックスは、前記第２のリソースに含まれる少なくとも一つのＤＬＲＵのインデックスより小さい。
【００１９】
前記ＤＬＲＵは、周波数領域で分散された６個のタイルを含み、一つのタイルは、４個の連続した副搬送波を含む。
【００２０】
前記レンジング信号送信方法は、データチャネル上にデータを基地局に送信することをさらに含み、前記データチャネルのための第３のリソースは、前記第２のリソースの直後に位置する。
【００２１】
前記第１のリソース及び前記第２のリソースは、第１のシステムのためのリソースであり、前記第１のリソース及び前記第２のリソースは、前記第１のシステムと異なる第２のシステムのための第４のリソースとＦＤＭ方式に多重化される。
【００２２】
他の態様において、無線通信システムにおける端末が提供される。前記端末は、割り当てられた動的レンジングチャネル上にレンジング信号を基地局に送信するＲＦ（Ｒａｄｉｏ  Ｆｒｅｑｕｅｎｃｙ）部、及び前記ＲＦ部と連結されるプロセッサを含み、前記動的レンジングチャネルのための第２のリソースは、アップリンク制御チャネルのための第１のリソースの直後に位置する。
本明細書は、例えば、以下の項目も提供する。
（項目１）
無線通信システムにおけるアップリンク制御チャネルのためのリソース割当方法において、
アップリンク制御チャネルのための第１のリソースと、動的レンジングチャネル（ｄｙｎａｍｉｃ  ｒａｎｇｉｎｇ  ｃｈａｎｎｅｌ）のための第２のリソースと、を割り当てることを含み、
前記第２のリソースは、前記第１のリソースの直後に位置することを特徴とするリソース割当方法。
（項目２）
前記第１のリソース及び前記第２のリソースは、各々、少なくとも一つのＤＬＲＵ（Ｄｉｓｔｒｉｂｕｔｅｄ  Ｌｏｇｉｃａｌ  Ｒｅｓｏｕｒｃｅ  Ｕｎｉｔ）を含み、前記第２のリソースは、周波数領域でＤＬＲＵインデックス上に前記第１のリソースの直後に位置することを特徴とする項目１に記載のリソース割当方法。
（項目３）
前記第１のリソースに含まれる少なくとも一つのＤＬＲＵのインデックスは、前記第２のリソースに含まれる少なくとも一つのＤＬＲＵのインデックスより小さいことを特徴とする項目２に記載のリソース割当方法。
（項目４）
前記ＤＬＲＵは、周波数領域で分散された６個のタイルを含み、一つのタイルは、４個の連続した副搬送波を含むことを特徴とする項目２に記載のリソース割当方法。
（項目５）
前記アップリンク制御チャネルは、レンジングチャネル（ｒａｎｇｉｎｇ  ｃｈａｎｎｅｌ）、フィードバックチャネル（ｆｅｅｄｂａｃｋ  ｃｈａｎｎｅｌ）、及び帯域幅要求チャネル（ｂａｎｄｗｉｄｔｈ  ｒｅｑｕｅｓｔ  ｃｈａｎｎｅｌ）のうち少なくとも一つを含むことを特徴とする項目１に記載のリソース割当方法。
（項目６）
前記フィードバックチャネルは、ＨＡＲＱ（Ｈｙｂｒｉｄ  Ａｕｔｏｍａｔｉｃ  Ｒｅｐｅａｔ  ｒｅｑｕｅｓｔ）フィードバックのためにＡＣＫ（Ａｃｋｎｏｗｌｅｄｇｅｍｔｅｎｔ）／ＮＡＣＫ（Ｎｏｎ−ａｃｋｎｏｗｌｅｄｇｅｍｅｎｔ）信号を運ぶＨＡＲＱフィードバックチャネル（ＨＦＢＣＨ；ＨＡＲＱ  Ｆｅｅｄｂａｃｋ  Ｃｈａｎｎｅｌ）及びＣＱＩ（Ｃｈａｎｎｅｌ  Ｑｕａｌｉｔｙ  Ｉｎｆｏｒｍａｔｉｏｎ）などを運ぶファーストフィードバックチャネル（ＦＦＢＣＨ；Ｆａｓｔ  Ｆｅｅｄｂａｃｋ  Ｃｈａｎｎｅｌ）を含むことを特徴とする項目５に記載のリソース割当方法。
（項目７）
データが送信されるデータチャネルのための第３のリソースを割り当てることをさらに含み、前記第３のリソースは、前記第２のリソースの直後に位置することを特徴とする項目１に記載のリソース割当方法。
（項目８）
前記第１のリソース及び前記第２のリソースは、第１のシステムのためのリソースであり、前記第１のリソース及び前記第２のリソースは、前記第１のシステムと異なる第２のシステムのための第４のリソースとＦＤＭ（Ｆｒｅｑｕｅｎｃｙ  Ｄｉｖｉｓｉｏｎ  Ｍｕｌｔｉｐｌｅｘｉｎｇ）方式に多重化されることを特徴とする項目１に記載のリソース割当方法。
（項目９）
無線通信システムにおける端末によるレンジング信号送信方法において、
割り当てられた動的レンジングチャネル（ｄｙｎａｍｉｃ  ｒａｎｇｉｎｇ  ｃｈａｎｎｅｌ）上にレンジング信号を基地局に送信することを含み、
前記動的レンジングチャネルのための第２のリソースは、アップリンク制御チャネルのための第１のリソースの直後に位置することを特徴とするレンジング信号送信方法。
（項目１０）
前記第１のリソース及び前記第２のリソースは、各々、少なくとも一つのＤＬＲＵ（Ｄｉｓｔｒｉｂｕｔｅｄ  Ｌｏｇｉｃａｌ  Ｒｅｓｏｕｒｃｅ  Ｕｎｉｔ）を含み、前記第２のリソースは、周波数領域でＤＬＲＵインデックス上に前記第１のリソースの直後に位置することを特徴とする項目９に記載のレンジング信号送信方法。
（項目１１）
前記第１のリソースに含まれる少なくとも一つのＤＬＲＵのインデックスは、前記第２のリソースに含まれる少なくとも一つのＤＬＲＵのインデックスより小さいことを特徴とする項目１０に記載のレンジング信号送信方法。
（項目１２）
前記ＤＬＲＵは、周波数領域で分散された６個のタイルを含み、一つのタイルは、４個の連続した副搬送波を含むことを特徴とする項目１０に記載のレンジング信号送信方法。
（項目１３）
データチャネル上にデータを基地局に送信することをさらに含み、前記データチャネルのための第３のリソースは、前記第２のリソースの直後に位置することを特徴とする項目９に記載のレンジング信号送信方法。
（項目１４）
前記第１のリソース及び前記第２のリソースは、第１のシステムのためのリソースであり、前記第１のリソース及び前記第２のリソースは、前記第１のシステムと異なる第２のシステムのための第４のリソースとＦＤＭ（Ｆｒｅｑｕｅｎｃｙ  Ｄｉｖｉｓｉｏｎ  Ｍｕｌｔｉｐｌｅｘｉｎｇ）方式に多重化されることを特徴とする項目９に記載のレンジング信号送信方法。
（項目１５）
無線通信システムにおいて、
割り当てられた動的レンジングチャネル（ｄｙｎａｍｉｃ  ｒａｎｇｉｎｇ  ｃｈａｎｎｅｌ）上にレンジング信号を基地局に送信するＲＦ（Ｒａｄｉｏ  Ｆｒｅｑｕｅｎｃｙ）部；及び、
前記ＲＦ部と連結されるプロセッサ；を含み、
前記動的レンジングチャネルのための第２のリソースは、アップリンク制御チャネルのための第１のリソースの直後に位置することを特徴とする端末。
【発明の効果】
【００２３】
レガシサポートモードでシグナリングオーバーヘッド（ｓｉｇｎａｌｉｎｇ  ｏｖｅｒｈｅａｄ）なしにレガシ端末のための動的レンジングチャネルを割り当てることができる。
【図面の簡単な説明】
【００２４】
【図１】無線通信システムを示す。
【図２】フレーム構造の一例を示す。
【図３】アップリンクリソース構造の一例を示す。
【図４】フレーム構造の他の例を示す。
【図５】レガシサポートモードでレガシ領域とＦＤＭ方式に多重化されるＡＡＩ領域のタイル構造の一例である。
【図６】アップリンクサブフレームの周波数パーティションのＤＬＲＵ内でアップリンク制御チャネルとアップリンクデータチャネルが割り当てられることを示す。
【図７】アップリンクサブフレームの周波数パーティションのＤＬＲＵ内でアップリンク制御チャネルとアップリンクデータチャネルが割り当てられることを示す。
【図８】提案されたリソース割当方法によって動的レンジングチャネルとアップリンク制御チャネルが割り当てられる一例を示す。
【図９】提案されたリソース割当方法の一実施例を示す。
【図１０】提案されたレンジング信号送信方法の一実施例を示す。
【図１１】本発明の実施例が具現される基地局及び端末のブロック図である。
【発明を実施するための形態】
【００２５】
以下の技術は、ＣＤＭＡ（ＣｏｄｅＤｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づいたシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。
【００２６】
説明を明確にするために、ＩＥＥＥ８０２．１６ｍを中心に記述するが、本発明の技術的思想がこれに制限されるものではない。
【００２７】
図１は、無線通信システムを示す。
【００２８】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（Ｕｓｅｒ  Ｅｑｕｉｐｍｅｎｔ；ＵＥ）１２は、固定されたり移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２９】
端末は、一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００３０】
この技術は、ダウンリンク（ｄｏｗｎｌｉｎｋ）又はアップリンク（ｕｐｌｉｎｋ）に使われることができる。一般的に、ダウンリンクは、基地局１１から端末１２への通信を意味し、アップリンクは、端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００３１】
図２は、フレーム構造の一例を示す。
【００３２】
図２を参照すると、スーパーフレーム（ＳＦ；Ｓｕｐｅｒｆｒａｍｅ）は、スーパーフレームヘッダ（ＳＦＨ；Ｓｕｐｅｒｆｒａｍｅ  Ｈｅａｄｅｒ）と４個のフレーム（ｆｒａｍｅ）Ｆ０、Ｆ１、Ｆ２、Ｆ３を含む。スーパーフレーム内の各フレームの長さは、全部同じ  である。各スーパーフレームの大きさは２０ｍｓであり、各フレームの大きさは５ｍｓであると例示しているが、これに限定されるものではない。スーパーフレームの長さ、スーパーフレームに含まれるフレームの数、フレームに含まれるサブフレームの数等は多様に変更されることができる。フレームに含まれるサブフレームの数は、チャネル帯域幅（ｃｈａｎｎｅｌ  ｂａｎｄｗｉｄｔｈ）、ＣＰ（Ｃｙｃｌｉｃ  Ｐｒｅｆｉｘ）の長さによって多様に変更されることができる。
【００３３】
一つのフレームは、複数のサブフレーム（ｓｕｂｆｒａｍｅ）ＳＦ０、ＳＦ１、ＳＦ２、ＳＦ３、ＳＦ４、ＳＦ５、ＳＦ６、ＳＦ７を含む。各サブフレームは、アップリンク又はダウンリンク送信のために使われることができる。一つのサブフレームは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル又はＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を含み、周波数領域（ｆｒｅｑｕｅｎｃｙ  ｄｏｍａｉｎ）で複数の副搬送波（ｓｕｂｃａｒｒｉｅｒ）を含む。ＯＦＤＭシンボルは、一つのシンボル区間（ｓｙｍｂｏｌ  ｐｅｒｉｏｄ）を表現するためのものであり、多重接続方式によって、ＯＦＤＭＡシンボル、ＳＣ−ＦＤＭＡシンボルなど、他の名称で呼ばれることもある。サブフレームは、５、６、７又は９個のＯＦＤＭＡシンボルで構成されることができるが、これは例示に過ぎず、サブフレームに含まれるＯＦＤＭＡシンボルの数は制限されない。サブフレームに含まれるＯＦＤＭＡシンボルの数は、チャネル帯域幅、ＣＰの長さによって多様に変更されることができる。サブフレームが含むＯＦＤＭＡシンボルの数によってサブフレームのタイプ（ｔｙｐｅ）が定義されることができる。例えば、タイプ−１サブフレームは６ＯＦＤＭＡシンボル、タイプ−２サブフレームは７ＯＦＤＭＡシンボル、タイプ−３サブフレームは５ＯＦＤＭＡシンボル、タイプ−４サブフレームは９ＯＦＤＭＡシンボルを含むと定義されることができる。一つのフレームは、全部同じタイプのサブフレームを含むことができる。又は、一つのフレームは、互いに異なるタイプのサブフレームを含むことができる。即ち、一つのフレーム内の各サブフレーム毎に含むＯＦＤＭＡシンボルの個数は全部同じ、或いは各々異なる。又は、一つのフレーム内の少なくとも一つのサブフレームのＯＦＤＭＡシンボルの個数は、前記フレーム内の残りのサブフレームのＯＦＤＭＡシンボルの個数と異なる。
【００３４】
フレームには、ＴＤＤ（Ｔｉｍｅ  Ｄｉｖｉｓｉｏｎ  Ｄｕｐｌｅｘ）方式又はＦＤＤ（Ｆｒｅｑｕｅｎｃｙ  Ｄｉｖｉｓｉｏｎ  Ｄｕｐｌｅｘ）方式が適用されることができる。ＴＤＤ方式で、各サブフレームが同じ周波数で互いに異なる時間にアップリンク送信又はダウンリンク送信のために使われる。即ち、ＴＤＤ方式のフレーム内のサブフレームは、時間領域でアップリンクサブフレームとダウンリンクサブフレームに区分される。ＦＤＤ方式で、各サブフレームが同じ時間の互いに異なる周波数でアップリンク送信又はダウンリンク送信のために使われる。即ち、ＦＤＤ方式のフレーム内のサブフレームは、周波数領域でアップリンクサブフレームとダウンリンクサブフレームに区分される。アップリンク送信とダウンリンク送信は、互いに異なる周波数帯域を占め、同時に行われることができる。
【００３５】
ＳＦＨは、必須システムパラメータ（ｅｓｓｅｎｔｉａｌ  ｓｙｓｔｅｍ  ｐａｒａｍｅｔｅｒ）及びシステム設定情報（ｓｙｓｔｅｍ  ｃｏｎｆｉｇｕｒａｔｉｏｎ  ｉｎｆｏｒｍａｔｉｏｎ）を運ぶことができる。ＳＦＨは、スーパーフレームの１番目のサブフレーム内に位置することができる。ＳＦＨは、前記１番目のサブフレームの最後の５個のＯＦＤＭＡシンボルを占めることができる。スーパーフレームヘッダは、１次ＳＦＨ（Ｐ−ＳＦＨ；ｐｒｉｍａｒｙ−ＳＦＨ）及び２次ＳＦＨ（Ｓ−ＳＦＨ；ｓｅｃｏｎｄａｒｙ−ＳＦＨ）に分類されることができる。Ｐ−ＳＦＨは、スーパーフレーム毎に送信されることができる。Ｓ−ＳＦＨに送信される情報は、Ｓ−ＳＦＨ  ＳＰ１、Ｓ−ＳＦＨ  ＳＰ２、Ｓ−ＳＦＨ  ＳＰ３の３個のサブパケット（ｓｕｂ−ｐａｃｋｅｔ）に分けられることができる。各サブパケットは、互いに異なる周期で周期的に送信されることができる。Ｓ−ＳＦＨ  ＳＰ１、Ｓ−ＳＦＨ  ＳＰ２、及びＳ−ＳＦＨ  ＳＰ３を介して送信される情報の重要度は互いに異なり、Ｓ−ＳＦＨ  ＳＰ１が最も短い周期に、Ｓ−ＳＦＨ  ＳＰ３が最も長い周期に送信されることができる。Ｓ−ＳＦＨ  ＳＰ１は、ネットワーク再進入（ｎｅｔｗｏｒｋ  ｒｅ−ｅｎｔｒｙ）に対する情報を含み、Ｓ−ＳＦＨ  ＳＰ１の送信周期は４０ｍｓである。Ｓ−ＳＦＨ  ＳＰ２は、初期ネットワーク進入（ｉｎｉｔｉａｌ  ｎｅｔｗｏｒｋ  ｅｎｔｒｙ）及びネットワーク探索（ｎｅｔｗｏｒｋ  ｄｉｓｃｏｖｅｒｙ）に対する情報を含み、Ｓ−ＳＦＨ  ＳＰ２の送信周期は８０ｍｓである。Ｓ−ＳＦＨ  ＳＰ３は、残りの重要なシステム情報を含み、Ｓ−ＳＦＨ  ＳＰ３の送信周期は１６０ｍｓ又は３２０ｍｓのうちいずれか一つである。
【００３６】
一つのＯＦＤＭＡシンボルは、複数の副搬送波を含み、ＦＦＴ大きさによって副搬送波の個数が決定される。複数の類型の副搬送波がある。副搬送波の類型は、データ送信のためのデータ副搬送波、多様な測定（ｅｓｔｉｍａｔｉｏｎ）のためのパイロット副搬送波、ガードバンド（ｇｕａｒｄ  ｂａｎｄ）、及びＤＣキャリアのためのナルキャリアに分けられることができる。ＯＦＤＭシンボルを特徴づけるパラメータは、ＢＷ、Ｎｕｓｅｄ、ｎ、Ｇなどである。ＢＷは、名目上のチャネル帯域幅（ｎｏｍｉｎａｌ  ｃｈａｎｎｅｌ  ｂａｎｄｗｉｄｔｈ）である。Ｎｕｓｅｄは、（ＤＣ副搬送波を含む）使われる副搬送波の個数である。ｎは、サンプリング因子である。このパラメータは、ＢＷ及びＮｕｓｅｄと結合して副搬送波スペイシング（ｓｐａｃｉｎｇ）及び有効シンボル時間（ｕｓｅｆｕｌ  ｓｙｍｂｏｌ  ｔｉｍｅ）を決定する。Ｇは、ＣＰ時間と有効時間（ｕｓｅｆｕｌ  ｔｉｍｅ）の比率である。
【００３７】
以下の表１は、ＯＦＤＭＡパラメータを示す。
【００３８】
【表１】
2014197910.tif 000003
【００３９】
表１で、ＮＦＦＴは、Ｎｕｓｅｄより大きい数のうち最も小さい２ｎのうち最も小さいパワー（Ｓｍａｌｌｅｓｔ  ｐｏｗｅｒ  ｏｆ  ｔｗｏ  ｇｒｅａｔｅｒ  ｔｈａｎ  Ｎｕｓｅｄ）であり、サンプリング因子Ｆｓ＝ｆｌｏｏｒ（ｎ・ＢＷ／８０００）×８０００であり、副搬送波スペイシングΔｆ＝Ｆｓ／ＮＦＦＴであり、有効シンボル時間Ｔｂ＝１／Δｆであり、ＣＰ時間Ｔｇ＝Ｇ・Ｔｂであり、ＯＦＤＭＡシンボル時間Ｔｓ＝Ｔｂ＋Ｔｇであり、サンプリング時間はＴｂ／ＮＦＦＴである。
【００４０】
図３は、アップリンクリソース構造の一例を示す。
【００４１】
各アップリンクサブフレームは、４個又はその以下の周波数パーティションに分けられることができる。図３で、サブフレームが２個の周波数パーティションＦＰ１、ＦＰ２に分けられることを例示的に記述するが、サブフレーム内の周波数パーティションの数がこれに制限されるものではない。各周波数パーティションは、サブフレーム内で使用可能な全体ＯＦＤＭＡシンボルにわたって少なくとも一つの物理リソースユニット（ＰＲＵ；Ｐｈｙｓｉｃａｌ  Ｒｅｓｏｕｒｃｅ  Ｕｎｉｔ）で構成される。また、各周波数パーティションは、連続した（ｃｏｎｔｉｇｕｏｕｓ／ｌｏｃａｌｉｚｅｄ）及び／又は分散された（ｄｉｓｔｒｉｂｕｔｅｄ）ＰＲＵを含むことができる。各周波数パーティションは、部分的周波数再使用（ＦＦＲ；Ｆｒａｃｔｉｏｎａｌ  Ｆｒｅｑｕｅｎｃｙ  Ｒｅｕｓｅ）のような他の目的のために使われることができる。図３で、第２の周波数パーティション（ＦＰ２）は、連続したリソース割当及び分散されたリソース割当の両方とも含む。‘Ｓｃ’は、副搬送波を意味する。
【００４２】
ＰＲＵは、リソース割当のための基本物理的単位であり、Ｐｓｃ個の連続した副搬送波とＮｓｙｍ個の連続したＯＦＤＭＡシンボルを含む。Ｐｓｃは、１８である。Ｎｓｙｍは、サブフレームのタイプによって決定されることができる。例えば、一つのサブフレームが６ＯＦＤＭＡシンボルで構成される時、ＰＲＵは、１８副搬送波及び６ＯＦＤＭＡシンボルで定義されることができる。論理リソースユニット（ＬＲＵ；Ｌｏｇｉｃａｌ  Ｒｅｓｏｕｒｃｅ  Ｕｎｉｔ）は、分散的及び連続的リソース割当のための基本的な論理単位である。制御チャネルの送信のためのＬＲＵの大きさは、データ送信のためのＬＲＵの大きさの同じである。多数のユーザが一つの制御ＬＲＵを共有することが許容されることができる。
【００４３】
分散的論理リソースユニット（ＤＬＲＵ；Ｄｉｓｔｒｉｂｕｔｅｄ  Ｌｏｇｉｃａｌ  Ｒｅｓｏｕｒｃｅ  Ｕｎｉｔ）は、周波数ダイバーシティ利得を得るために使われることができる。ＤＬＲＵは、一つの周波数パーティション内に分散された副搬送波グループを含む。アップリンクＤＬＲＵを構成する最小単位は、タイル（ｔｉｌｅ）である。アップリンクＤＬＲＵは、分散された３個のタイルから副搬送波グループを含むことができる。タイルは、６副搬送波及びＮｓｙｍ個のＯＦＤＭＡシンボルで定義されることができる。
【００４４】
連続的論理リソースユニット（ＣＬＲＵ；Ｃｏｎｔｉｇｕｏｕｓ  Ｌｏｇｉｃａｌ  Ｒｅｓｏｕｒｃｅ  Ｕｎｉｔ）は、周波数選択的スケジューリング利得を得るために使われることができる。ＣＬＲＵは、局部的に（ｌｏｃａｌｉｚｅｄ）割り当てられたリソース内で連続した副搬送波グループを含む。ＣＬＲＵは、連続的リソースユニット（ＣＲＵ；Ｃｏｎｔｉｇｕｏｕｓ  Ｒｅｓｏｕｒｃｅ  Ｕｎｉｔ）内のデータ副搬送波で構成される。ＣＲＵの大きさは、ＰＲＵの大きさの同じである。
【００４５】
以下、ＩＥＥＥ８０２．１６ｍシステムに属する端末（以下、１６ｍ端末）だけでなく、ＩＥＥＥ８０２．１６ｍシステムに属する端末（以下、１６ｅ端末）を共にサポートするレガシサポートモード（ｌｅｇａｃｙ  ｓｕｐｐｏｒｔ  ｍｏｄｅ）に対して説明する。また、以下、ＩＥＥＥ８０２．１６ｍシステムは、ＡＡＩ（Ａｄｖａｎｃｅｄ  Ａｉｒ  Ｉｎｔｅｒｆａｃｅ）システムといい、ＩＥＥＥ８０２．１６ｅシステムは、ＷｉｒｅｌｅｓｓＭＡＮ−ＯＦＤＭＡシステム又はレガシシステムという。
【００４６】
図４は、フレーム構造の他の例を示す。図４のフレーム構造は、レガシサポートモードでＵＬ  ＰＵＳＣ（Ｐａｒｔｉａｌｌｙ  Ｕｓｅｄ  Ｓｕｂ−Ｃａｒｒｉｅｒ）パーミュテイションをサポートし、アップリンクでレガシ領域とＡＡＩ領域がＦＤＭ（Ｆｒｅｑｕｅｎｃｙ  Ｄｉｖｉｓｉｏｎ  Ｍｕｌｔｉｐｌｅｘｉｎｇ）方式に多重化される場合のＴＤＤフレーム構造を示す。
【００４７】
図４を参照すると、フレームは、ダウンリンク（ＤＬ）サブフレームとアップリンク（ＵＬ）サブフレームを含む。ダウンリンクサブフレームは、アップリンクサブフレームより時間的に以前である。ダウンリンクサブフレームは、プリアンブル（ｐｒｅａｍｂｌｅ）、ＦＣＨ（Ｆｒａｍｅ  Ｃｏｎｔｒｏｌ  Ｈｅａｄｅｒ）、ＤＬ（Ｄｏｗｎｌｉｎｋ）−ＭＡＰ、ＵＬ（Ｕｐｌｉｎｋ）−ＭＡＰ、バースト（ｂｕｒｓｔ）領域の順序に開始される。アップリンクサブフレームは、レンジングチャネル、フィードバックチャネルなどのアップリンク制御チャネル、バースト領域などを含む。ダウンリンクサブフレームとアップリンクサブフレームを区分するための保護時間（ｇｕａｒｄ  ｔｉｍｅ）がフレームの中間部分（ダウンリンクサブフレームとアップリンクサブフレームとの間）と最後の部分（アップリンクサブフレームの以後）に挿入される。ＴＴＧ（Ｔｒａｎｓｍｉｔ／Ｒｅｃｅｉｖｅ  Ｔｒａｎｓｉｔｉｏｎ  Ｇａｐ）は、ダウンリンクバーストと後続の（ｓｕｂｓｅｑｕｅｎｔ）アップリンクバーストとの間のギャップである。ＲＴＧ（Ｒｅｃｅｉｖｅ／Ｔｒａｎｓｍｉｔ  Ｔｒａｎｓｉｔｉｏｎ  Ｇａｐ）は、アップリンクバーストと後続のダウンリンクバーストとの間のギャップである。ダウンリンク領域とアップリンク領域は、１６ｅ端末のための領域と１６ｍ端末のための領域に区分される。ダウンリンク領域で、プリアンブル、ＦＣＨ、ＤＬ−ＭＡＰ、ＵＬ−ＭＡＰ、及びダウンリンクバースト領域は、１６ｅ端末のための領域であり、残りのダウンリンク領域は、１６ｍ端末のための領域である。アップリンク領域で、アップリンク制御チャネル及びアップリンクバースト領域は、１６ｅ端末のための領域で、残りのアップリンク領域は、１６ｍ端末のための領域である。アップリンク領域で、１６ｅ端末のための領域と１６ｍ端末のための領域は、多様な方式に多重化されることができる。図５ではアップリンク領域がＦＤＭ方式に多重化されるが、これに制限されるものではなく、アップリンク領域はＴＤＭ方式に多重化されてもよい。
【００４８】
アップリンクで、レガシ領域とＡＡＩ領域がＦＤＭ方式に多重化される場合、複数の副搬送波を含む副搬送波グループ、即ち、サブチャネル（ｓｕｂｃｈａｎｎｅｌ）が一つ以上のレガシ領域に割り当てられる。残りの複数の副搬送波を含む他のサブチャネルは、アップリンクサブフレームを形成してＡＡＩ領域に割り当てられる。帯域幅が５、７、１０又は２０ＭＨｚのうち一つである場合、全てのアップリンクサブフレームはタイプ−１サブフレームとなる。即ち、６個のＯＦＤＭＡシンボルを含む。帯域幅が８．７５ＭＨｚである場合、１番目のアップリンクサブフレームはタイプ−１サブフレームであり、残りのサブフレームはタイプ−４サブフレームとなる。端末のための制御チャネル及びバーストは、端末が基地局に連結されるモードによってレガシ領域内のサブチャネル又はＡＡＩ領域内のサブチャネル内でスケジューリングされることができる。然しながら、レガシ領域内のサブチャネルとＡＡＩ領域内のサブチャネルが同じフレーム内でスケジューリングされない。一方、図４で、レガシ領域とＡＡＩ領域がＦＤＭ方式に多重化されているが、これは論理的（ｌｏｇｉｃａｌ）サブチャネルインデックス上でＦＤＭ方式に多重化されることであり、物理的（ｐｈｙｓｉｃａｌ）サブチャネルインデックス上では周波数領域で互いに混合されて存在することができる。
【００４９】
プリアンブルは、基地局と端末との間の初期同期、セル探索、周波数オフセット、及びチャネル推定に使われる。ＦＣＨは、ＤＬ−ＭＡＰメッセージの長さとＤＬ−ＭＡＰのコーディング方式（ｃｏｄｉｎｇ  ｓｃｈｅｍｅ）情報を含む。ＤＬ−ＭＡＰは、ＤＬ−ＭＡＰメッセージが送信される領域である。ＤＬ−ＭＡＰメッセージは、ダウンリンクチャネルへの接続（ａｃｃｅｓｓ）を定義する。これは、ＤＬ−ＭＡＰメッセージがダウンリンクチャネルに対する指示及び／又は制御情報を定義することを意味する。ＤＬ−ＭＡＰメッセージは、ＤＣＤ（Ｄｏｗｎｌｉｎｋ  Ｃｈａｎｎｅｌ  Ｄｅｓｃｒｉｐｔｏｒ）の構成変化カウント及び基地局ＩＤ（ｉｄｅｎｔｉｆｉｅｒ）を含む。ＤＣＤは、現在マップに適用されるダウンリンクバーストプロファイル（ｄｏｗｎｌｉｎｋ  ｂｕｒｓｔ  ｐｒｏｆｉｌｅ）を記述する。ダウンリンクバーストプロファイルは、ダウンリンク物理チャネルの特性を示し、ＤＣＤは、ＤＣＤメッセージを介して周期的に基地局により送信される。ＵＬ−ＭＡＰは、ＵＬ−ＭＡＰメッセージが送信される領域である。ＵＬ−ＭＡＰメッセージは、アップリンクチャネルへの接続を定義する。これは、ＵＬ−ＭＡＰメッセージがアップリンクチャネルに対する指示及び／又は制御情報を定義することを意味する。ＵＬ−ＭＡＰメッセージは、ＵＣＤ（Ｕｐｌｉｎｋ  Ｃｈａｎｎｅｌ  Ｄｅｓｃｒｉｐｔｏｒ）の構成変化カウント及びＵＬ−ＭＡＰにより定義されるアップリンク割当の有効開始時刻（ａｌｌｏｃａｔｉｏｎ  ｓｔａｒｔ  ｔｉｍｅ）を含む。ＵＣＤは、アップリンクバーストプロファイル（ｕｐｌｉｎｋ  ｂｕｒｓｔ  ｐｒｏｆｉｌｅ）を記述する。アップリンクバーストプロファイルは、アップリンク物理チャネルの特性を示し、ＵＣＤは、ＵＣＤメッセージを介して周期的に基地局により送信される。ダウンリンクバーストは、基地局が端末に送るデータが送信される領域であり、アップリンクバーストは、端末が基地局に送るデータが送信される領域である。ファーストフィードバック領域は、ＯＦＤＭフレームのアップリンクバースト（ＵＬ  ｂｕｒｓｔ）領域に含まれる。ファーストフィードバック領域は、基地局から速い応答（ｆａｓｔ  ｒｅｓｐｏｎｓｅ）が要求される情報の送信のために使われる。ファーストフィードバック領域は、ＣＱＩ送信のために使われることができる。ファーストフィードバック領域の位置は、ＵＬ−ＭＡＰにより決定される。ファーストフィードバック領域の位置は、ＯＦＤＭフレーム内で固定された位置であってもよく、変動される位置であってもよい。
【００５０】
レガシサポートモードで新たなシンボル構造が提案されることができる。複数の副搬送波は、Ｎｇ，ｌｅｆｔ個の左ガード副搬送波（ｌｅｆｔ  ｇｕａｒｄ  ｓｕｂｃａｒｒｉｅｒｓ）、Ｎｇ，ｒｉｇｈｔ個の右ガード副搬送波（ｒｉｇｈｔ  ｇｕａｒｄ  ｓｕｂｃａｒｒｉｅｒｓ）、及びＮｕｓｅｄ個の使用副搬送波（ｕｓｅｄ  ｓｕｂｃａｒｒｉｅｒｓ）に分けられることができる。前記使用副搬送波は、複数のＰＵＳＣ（Ｐａｒｔｉａｌ  Ｕｓａｇｅ  ｏｆ  Ｓｕｂｃｈａｎｎｅｌｓ）タイルに分けられることができる。
【００５１】
図５は、レガシサポートモードでレガシ領域とＦＤＭ方式に多重化されるＡＡＩ領域のタイル構造の一例である。図５のタイルは、一般的なタイルの構造とは違って、４個の連続した副搬送波と６個のＯＦＤＭＡシンボルを含むことができる。レガシサポートモードでＡＡＩ領域のＤＬＲＵは、分散された６個のタイルで構成される。
【００５２】
一方、レガシ領域ではリソースの基本割当単位であるサブチャネルが分散された６個のタイルで構成され、一つのタイルは、４個の連続した副搬送波と３個のＯＦＤＭＡシンボルで構成される。ＤＬＲＵ又はサブチャネルは、レガシシステムのＰＵＳＣパーミュテイション規則（ｐｅｒｍｕｔａｔｉｏｎ  ｒｕｌｅ）によって周波数軸での位置が決定される。
【００５３】
制御チャネルは、下記のような点を考慮して設計されることができる。
【００５４】
（１）制御チャネルに含まれる複数のタイルは、周波数ダイバーシティ（ｄｉｖｅｒｓｉｔｙ）利得を得るために時間領域又は周波数領域に分散されることができる。例えば、ＤＬＲＵが６個のＯＦＤＭシンボル上の６個の連続した副搬送波で構成されるタイルを３個含むことを考慮する時、制御チャネルは、３個のタイルを含み、各タイルが周波数領域又は時間領域に分散されることができる。又は、制御チャネルは、少なくとも一つのタイルを含み、タイルは、複数のミニタイルで構成され、複数のミニタイルが周波数領域又は時間領域に分散されることができる。例えば、ミニタイルは、（ＯＦＤＭシンボル×副搬送波）＝６×６、３×６、２×６、１×６、６×３、６×２、６×１等で構成されることができる。ＩＥＥＥ８０２．１６ｅの（ＯＦＤＭシンボル×副搬送波）＝３×４のＰＵＳＣ構造のタイルを含む制御チャネルとミニタイルを含む制御チャネルがＦＤＭ（ｆｒｅｑｕｅｎｃｙ  ｄｉｖｉｓｉｏｎ  ｍｕｌｔｉｐｌｅｘｉｎｇ）方式に多重化されると仮定する時、ミニタイルは、（ＯＦＤＭシンボル×副搬送波）＝６×２、６×１等で構成されることができる。ミニタイルを含む制御チャネルのみを考慮する時、ミニタイルは、（ＯＦＤＭシンボル×副搬送波）＝６×２、３×６、２×６、１×６等で構成されることができる。
【００５５】
（２）高速の端末をサポートするために、制御チャネルを構成するＯＦＤＭシンボルの数は、最小限に構成されなければならない。例えば、３５０ｋｍ／ｈで移動する端末をサポートするために、制御チャネルを構成するＯＦＤＭシンボルの数は、３個以下が適切である。
【００５６】
（３）端末のシンボル当たり送信電力は限界があり、端末のシンボル当たり送信電力を高めるためには制御チャネルを構成するＯＦＤＭシンボルの数が多いほど有利である。従って、（２）の高速の端末と（３）の端末のシンボル当たり送信電力を考慮して適切なＯＦＤＭシンボルの数が決定されなければならない。
【００５７】
（４）コヒーレント検出（ｃｏｈｅｒｅｎｔ  ｄｅｔｅｃｔｉｏｎ）のために、チャネル推定のためのパイロット副搬送波が時間領域又は周波数領域に均等に分散されなければならない。コヒーレント検出は、パイロットを用いたチャネル推定を実行した後、データ副搬送波に載せたデータを求める方法である。パイロット副搬送波の電力ブースティング（ｐｏｗｅｒ  ｂｏｏｓｔｉｎｇ）のために、制御チャネルのＯＦＤＭシンボル当たりパイロットの数を同じにすることでシンボル当たり送信電力を同じに維持することができる。
【００５８】
（５）非コヒーレント検出（ｎｏｎ−ｃｏｈｅｒｅｎｔ  ｄｅｔｅｃｔｉｏｎ）のために、制御信号は、直交コード／シーケンス又は準直交（ｓｅｍｉ−ｏｒｔｈｏｇｏｎａｌ）コード／シーケンスで構成されたり、スプレッディング（ｓｐｒｅａｄｉｎｇ）されなければならない。
【００５９】
アップリンク制御チャネルは、ファーストフィードバックチャネル（ＦＦＢＣＨ；Ｆａｓｔ  Ｆｅｅｄｂａｃｋ  Ｃｈａｎｎｅｌ）とＨＡＲＱフィードバックチャネル（ＨＦＢＣＨ；ＨＡＲＱ  Ｆｅｅｄｂａｃｋ  Ｃｈａｎｎｅｌ）を含むフィードバックチャネル、サウンディングチャネル（ｓｏｕｎｄｉｎｇ  ｃｈａｎｎｅｌ）、レンジングチャネル（ｒａｎｇｉｎｇ  ｃｈａｎｎｅｌ）、帯域幅要求チャネル（ＢＲＣＨ；Ｂａｎｄｗｉｄｔｈ  Ｒｅｑｕｅｓｔ  Ｃｈａｎｎｅｌ）などを含むことができる。アップリンク制御チャネルによって、ＣＱＩ、ＭＩＭＯフィードバック、ＡＣＫ／ＮＡＣＫ、アップリンク同期化信号、帯域幅要求などの情報が送信されることができる。フィードバックチャネルと帯域幅要求チャネルは、サウンディングチャネルが割り当てられないサブフレームの前方部の６個のＯＦＤＭＡシンボルに割り当てられることができる。
【００６０】
図６及び図７は、アップリンクサブフレームの周波数パーティションのＤＬＲＵ内でアップリンク制御チャネルとアップリンクデータチャネルが割り当てられることを示す。
【００６１】
アップリンク周波数パーティションのＤＬＲＵは、データ領域、帯域幅要求領域、及びフィードバック領域に区分されることができる。フィードバックチャネルを含むフィードバック領域は、ファーストフィードバック又はＨＡＲＱ  ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）の送信のために使われることができる。図６は、１６ｍ端末のみをサポートするシステムでアップリンク制御チャネルが割り当てられる順序の一例を示す。図６で、周波数パーティション内でアップリンク制御チャネルは、低いインデックスのＤＬＲＵからＨＡＲＱフィードバックチャネル、ファーストフィードバックチャネル、帯域幅要求チャネルｍ及びデータチャネルの順に割り当てられる。
【００６２】
図７は、レガシサポートモードでＵＬ  ＰＵＳＣパーミュテイションをサポートし、アップリンクでレガシ領域とＡＡＩ領域がＦＤＭ方式に多重化される場合、アップリンク制御チャネルが割り当てられる順序の一例を示す。図７を参照すると、レンジングチャネルは、インデックスが最も小さいＤＬＲＵに割り当てられる。レンジングチャネルの以後、ＤＬＲＵインデックスが増加する順に、ＨＡＲＱフィードバックチャネル、ファーストフィードバックチャネル、帯域幅要求チャネル、及びデータチャネルの順に割り当てられる。レンジングチャネルが割り当てられない場合、図６と同様に、ＨＡＲＱフィードバックチャネルから最も小さいインデックスのＤＬＲＵに割り当てられる。
【００６３】
一方、端末がハンドオーバー（ｈａｎｄ−ｏｖｅｒ）を試みる場合、動的レンジングチャネル（ｄｙｎａｍｉｃ  ｒａｎｇｉｎｇ  ｃｈａｎｎｅｌ）が割り当てられることができる。動的レンジングチャネルは、ブロードキャスト割当（ｂｒｏａｄｃａｓｔ  ａｓｓｉｇｎｍｅｎｔ）Ａ−ＭＡＰ  ＩＥ（Ｉｎｆｏｒｍａｔｉｏｎ  Ｅｌｅｍｅｎｔ）によって割り当てられることができる。ブロードキャスト割当Ａ−ＭＡＰ  ＩＥは、ブロードキャストバースト（ｂｒｏａｄｃａｓｔ  ｂｕｒｓｔ）のためのリソースを割り当てる。ブロードキャスト割当Ａ−ＭＡＰ  ＩＥによってレンジング機会（ｒａｎｇｉｎｇ  ｏｐｐｏｒｔｕｎｉｔｙ）及び動的レンジングチャネルが割り当てられるサブフレームのインデックスなどが提示されることができる。即ち、動的レンジングチャネルの個数と動的レンジングチャネルが割り当てられる時間領域での位置が指示されることができる。然しながら、レガシサポートモードで、ＵＬ  ＰＵＳＣパーミュテイションをサポートし、アップリンクでレガシ領域とＡＡＩ領域がＦＤＭ方式に多重化される場合、動的レンジングチャネルが周波数領域のどの部分に割り当てられるかに対しては具体的に決まっていない。これによって、動的レンジングチャネルを割り当てる方法が要求される。
【００６４】
端末は、ハンドオーバーを試みようとする時、基地局から隣接広告メッセージ（ｎｅｉｇｈｂｏｒ  ａｄｖｅｒｔｉｓｅｍｅｎｔ  ｍｅｓｓａｇｅ；ＭＯＢ＿ＮＢＲ−ＡＤＶ  ｍｅｓｓａｇｅ）をＭＡＣ（Ｍｅｄｉａ  Ａｃｃｅｓｓ  Ｃｏｎｔｒｏｌ）から受信する。隣接広告メッセージは、ＩＥＥＥｓｔｄ８０２．１６ＴＭ−２００９（ｒｅｖｉｓｉｏｎ  ｏｆ  ＩＥＥＥ  ｓｔｄ  ８０２．１６−２００４）の６．３．２．３．４２節を参照することができる。隣接広告メッセージは、周期的に送信されることができる。隣接広告メッセージは、ネットワークを識別し、潜在的に初期ネットワーク接続又はハンドオーバーしようとする端末に対して隣接セルの特徴を定義する。隣接広告メッセージを介して端末は、目的（ｔａｒｇｅｒ）セルのブロードキャストメッセージ又はＳＦＨの情報を得ることができる。従って、端末は、ハンドオーバーしようとするセルでアップリンク制御チャネルが周波数領域のどのＤＬＲＵに割り当てられるかを予め知ることができる。
【００６５】
端末がアップリンク制御チャネルの周波数領域内での位置を知っているため、動的レンジングチャネルの位置も既に位置を知っているアップリンク制御チャネルに対する相対的な位置に基づいて知ることができる。動的レンジングチャネルの相対的位置を知らせることによって、動的レンジングチャネルが割り当てられるＤＬＲＵの絶対的なインデックスを指示することよりシグナリングオーバーヘッドを減らすことができる。例えば、動的レンジングチャネルは、一般レンジングチャネル（ｒｅｇｕｌａｒ  ｒａｎｇｉｎｇ  ｃｈａｎｎｅｌ）、フィードバックチャネル、及び帯域幅要求チャネルを含む領域の隣接領域に割り当てられることができる。一般レンジングチャネル、フィードバックチャネル、及び帯域幅要求チャネルの各々の位置、大きさ、有無情報は、隣接広告メッセージにより知ることができるため、動的レンジングチャネルの相対的位置のみでも動的レンジングチャネルが割り当てられるＤＬＲＵの位置を正確に把握することができる。
【００６６】
図８は、提案されたリソース割当方法によって動的レンジングチャネルとアップリンク制御チャネルが割り当てられる一例を示す。
【００６７】
図８−（ａ）で、アップリンク制御チャネルは、ＤＬＲＵインデックスが増加する順に、一般レンジングチャネル、フィードバックチャネル、及び帯域幅要求チャネルの順に割り当てられる。動的レンジングチャネルは、ＤＬＲＵインデックス上にアップリンク制御チャネルの直後に割り当てられる。動的レンジングチャネルの以後にデータチャネルが割り当てられる。図８−（ｂ）で、アップリンク制御チャネルは、ＤＬＲＵインデックスが増加する順に、フィードバックチャネル及び帯域幅要求チャネルの順に割り当てられる。動的レンジングチャネルは、ＤＬＲＵインデックス上にアップリンク制御チャネルの直後に割り当てられる。動的レンジングチャネルの以後にデータチャネルが割り当てられる。図８−（ｃ）で、アップリンク制御チャネルは、フィードバックチャネルのみを含み、フィードバックチャネルは、最も小さいインデックスのＤＬＲＵに割り当てられる。動的レンジングチャネルは、ＤＬＲＵインデックス上にフィードバックチャネルの直後に割り当てられる。動的レンジングチャネルの以後にデータチャネルが割り当てられる。即ち、アップリンク制御チャネルの構成に関係なしに、動的レンジングチャネルは、ＤＬＲＵインデックス上にアップリンク制御チャネルの直後に割り当てられる。このように、動的レンジングチャネルがアップリンク制御チャネルとの相対的である位置によって割り当てられることによって、シグナリングオーバーヘッドを減らすことができる。
【００６８】
一方、図８で、アップリンク制御チャネル、動的レンジングチャネル、及びデータチャネルは、ＤＬＲＵインデックスが増加する順に割り当てられることを例示して説明したが、これに制限されるものではない。即ち、アップリンク制御チャネル、動的レンジングチャネル、及びデータチャネルは、最も高いインデックスのＤＬＲＵからインデックスが減少する順に周波数領域に割り当てられることもできる。
【００６９】
図９は、提案されたリソース割当方法の一実施例を示す。
【００７０】
ステップＳ１００で、基地局は、アップリンク制御チャネルのための第１のリソース及び動的レンジングチャネル（ｄｙｎａｍｉｃ  ｒａｎｇｉｎｇ  ｃｈａｎｎｅｌ）のための第２のリソースをフレーム内に割り当てる。この時、前記第２のリソースは、前記第１のリソースの直後に位置する。前記第２のリソースは、ＤＬＲＵインデックス上で前記第１のリソースの直後に位置することができる。
【００７１】
動的レンジングチャネルを割り当てる他の方法として、一般レンジングチャネルをそのまま用いることもできる。即ち、各サブフレームで一般レンジングチャネルの位置及び大きさを固定し、各サブフレームにおいて、一般レンジングチャネルが存在する場合、該当リソースは一般レンジングチャネルに割り当てられ、動的レンジングチャネルが存在する場合、該当リソースは動的レンジングチャネルに割り当てられる。一般レンジングチャネル及び動的レンジングチャネルの両方とも存在しない場合、該当リソースはデータチャネルなどの他のチャネルのためのリソースとして使われることができる。
【００７２】
図１０は、提案されたレンジング信号送信方法の一実施例を示す。
【００７３】
ステップＳ２００で、端末は、割り当てられた動的レンジングチャネル上にレンジング信号を基地局に送信する。この時、前記動的レンジングチャネルのための第２のリソースは、アップリンク制御チャネルのための第１のリソースの直後に位置する。
【００７４】
図１１は、本発明の実施例が具現される基地局及び端末のブロック図である。
【００７５】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／又は方法を具現する。無線インターフェースプロトコルの階層は、プロセッサ８１０により具現されることができる。プロセッサ８１０は、アップリンク制御チャネルのための第１のリソースと動的レンジングチャネルのための第２のリソースを割り当てる。前記第２のリソースは、前記第１のリソースの直後に位置する。メモリ８２０は、プロセッサ８１０と連結され、プロセッサ８１０を駆動するための多様な情報を格納する。ＲＦ部８３０は、プロセッサ８１０と連結され、無線信号を送信及び／又は受信する。
【００７６】
端末９００は、プロセッサ９１０、メモリ９２０、及びＲＦ部９３０を含む。ＲＦ部９３０は、プロセッサ９１０と連結され、割り当てられた動的レンジングチャネル上にレンジング信号を基地局に送信する。前記動的レンジングチャネルのための第２のリソースは、アップリンク制御チャネルのための第１のリソースの直後に位置する。プロセッサ９１０は、提案された機能、過程及び／又は方法を具現する。無線インターフェースプロトコルの階層は、プロセッサ９１０により具現されることができる。メモリ９２０は、プロセッサ９１０と連結され、プロセッサ９１０を駆動するための多様な情報を格納する。
【００７７】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部又は外部にあり、よく知られた多様な手段でプロセッサ８１０、９１０と連結されることができる。
【００７８】
前述した例示的なシステムで、方法は、一連のステップ又はブロックで順序図に基づいて説明されているが、本発明は、ステップの順序に限定されるものではなく、あるステップは、前述と異なるステップと異なる順序に又は同時に発生することができる。また、当業者であれば、順序図に示すステップが排他的でなく、他のステップが含まれたり、順序図の一つ又はその以上のステップが本発明の範囲に影響を及ぼさずに削除可能であることを理解することができる。
【００７９】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲に属する全ての交替、修正、及び変更を含む。
【図１】
2014197910.tif 000004
【図２】
2014197910.tif 000005
【図３】
2014197910.tif 000006
【図４】
2014197910.tif 000007
【図５】
2014197910.tif 000008
【図６】
2014197910.tif 000009
【図７】
2014197910.tif 000010
【図８】
2014197910.tif 000011
【図９】
2014197910.tif 000012
【図１０】
2014197910.tif 000013
【図１１】
2014197910.tif 000014